(57)【要約】キチン系糞便改質剤が、使い捨て吸収性物品に堆積した糞便の少なくとも一部分と接触可能であるよう、使い捨て吸収性物品に配置された有効濃度のキチン系糞便改質剤を含む、糞便を受けることに適合した使い捨て吸収性物品。【特許請求の範囲】
【請求項１】
使い捨て吸収性物品に堆積した糞便の少なくとも一部分と接触可能であるように、前記使い捨て吸収性物品に配置された有効濃度のキチン系糞便改質剤を含む、糞便を受けることに適合した使い捨て吸収性物品。
【請求項２】
第１腰部区域と、前記第１腰部区域に対向する第２腰部区域と、前記第１腰部区域と前記第２腰部区域との間に位置する股部区域とを有する、糞便を受けることに適合した次を含む吸収性物品であって、
（ａ）液体透過性トップシート；
（ｂ）前記トップシートの少なくとも一部分に接合した液体不透過性バックシート；
（ｃ）前記トップシートの少なくとも一部分と前記バックシートの少なくとも一部分との間に位置する吸収性コア；及び
（ｄ）前記物品に堆積した前記糞便の少なくとも一部分と接触可能であるように該物品に配置され、該物品に堆積することのある該糞便の少なくとも一部分の粘度又は硬度が変わるようにした有効濃度の該キチン系糞便改質剤、
を有する吸収性物品。
【請求項３】
第１腰部区域と、前記第１腰部区域に対向する第２腰部区域と、前記第１腰部区域と前記第２腰部区域との間に位置する股部区域とを有する、糞便を受けることに適合した次を含む吸収性物品であって、
（ａ）液体透過性トップシート；
（ｂ）前記トップシートの少なくとも一部分に接合した液体不透過性バックシート；
（ｃ）前記トップシートの少なくとも一部分と前記バックシートの少なくとも一部分との間に位置する吸収性コア；
（ｄ）ミリジュールのエネルギーあたり０．１９グラム／平方センチ／ミリジュール（０．５０グラム／平方インチ／ミリジュール）より大きいアクセプタンスアンダープレッシャーを有する腰部管理要素；及び
（ｅ）有効濃度のキチン系糞便改質剤、
を有する吸収性物品。
【請求項４】
前記キチン系糞便改質剤が、キトサン、キトサン塩類、キトサン誘導体類、変性キトサン、及びこれらの混合物から成る群から選択される請求項１〜３のいずれか一項に記載の物品。
【請求項５】
前記物品中に処理された前記糞便が硬度を有し、また前記硬度が、該物品の５．０重量％以下の濃度で前記キチン系糞便改質剤によって１００％以上増加する、請求項１〜４のいずれか一項に記載の物品。
【請求項６】
前記糞便の硬度が、前記物品の１．０重量％以下の濃度で前記キチン系糞便改質剤によって１００％以上増加する請求項１〜５のいずれか一項に記載の物品。
【請求項７】
前記キチン系糞便改質剤が、前記物品の０．００１重量％以上の濃度で存在する請求項１〜６のいずれか一項に記載の物品。
【請求項８】
前記キチン系糞便改質剤がキトサン塩酸塩である請求項１〜７のいずれか一項に記載の物品。
【発明の詳細な説明】
【技術分野】
【０００１】
本発明は、おむつ、成人用失禁製品など使い捨て吸収性物品を含む、体の排泄物を吸収する及び／又は閉じ込める物品に関する。より具体的には、本発明は、使い捨て吸収性物品に堆積することのある糞便又は他の体外排泄物の物理的特性を改質するように作用する１以上の薬剤を含む使い捨て吸収性物品に関する。
【背景技術】
【０００２】
おむつ及び成人失禁用ブリーフなど吸収性物品の主要な機能は、体の滲出物が、衣類、又は着用者と接触することのある寝具など他の物品を汚す、濡らす、或いは汚染するのを防ぐことである。近年、使い捨ておむつは非常に人気があり、その便利さ及び確実性のために、耐久性のある布の吸収性物品にほぼ取って代わった。しかしながら、そのような使い捨て吸収性物品の有効性にもかかわらず、体の滲出物は依然として漏れることが多いため、又はおむつ内に貯蔵されるため、排泄物が着用者の皮膚を汚す及び／又は刺激する。更に、体の滲出物は皮膚に強固に粘着することが多く、洗浄が困難になり、長期間に亘る残留物汚染の可能性を増大する。当該技術分野の吸収性物品に伴うこれらの、及び他の重要な問題の根本的な原因は、加えられた剪断応力下の移動性と体の滲出物との、特に糞便との粘着性にある。
【０００３】
困難な浄化及び／又は残留物による皮膚の汚染などの漏れ及び／又は不適切な汚染による望ましくない影響は、おむつに堆積した糞便物質に関して特に明白である。おむつに閉じ込められた糞便は、着用者の皮膚を長時間に亘って損なうことになり、おむつから漏れる糞便のために、ほぼ常に、不愉快な汚い後始末に当面する。故に、トップシート上の糞便物質の移動を制限するために、及び／又はおむつに糞便物質を更に良好に閉じ込めるために、バリア（遮蔽物）、ポケット、スペーサー、横方向のバリア、孔あきトップシートなどの機構をおむつに加えるいくつかの試みが行われてきた。しかしながら、そのような試みはこれらの問題の根本的な原因（即ち、糞便の特性）と取り組んでいないため、またその費用及び複雑性のために、ほぼ不成功であった。更に、糞便を隔離する又は閉じ込めるための手段の多くは、一定の物理的特性（例：粘度、遊離水の含有量、及び粒度）を有する糞便物質に関するもので、非常に狭い範囲外にある物理的特性を有する滲出物には有効でない。
【発明の開示】
【発明が解決しようとする課題】
【０００４】
それ故に、改善された糞便管理特性を有する吸収性物品を提供することが望ましい。更に、着用者又は介護人への、糞便又は他の粘稠な体外排泄物の負の影響を最小にする性能を有する経済的な使い捨て物品を提供することは、有利である。物品への糞便の受入れ及び／又は物品内での糞便の不動化を改善するために、及び／又は糞便による着用者の皮膚の汚染を低減するために、化学的に又は物理的に糞便と反応して糞便の特性を変えるように設計された物品を提供することも有利である。同様に、物理的又は化学的に改質された糞便を、着用者の皮膚及び／又は衣類から離して、予想される使用時間に亘って安全に且つ清潔に貯蔵するのに充分に有効な収容力及び保持能力を有する物品を提供することも望ましい。
【課題を解決するための手段】
【０００５】
本発明の第１態様に従って、糞便を受けることに適合した使い捨て吸収性物品が提供される。該使い捨て吸収性物品は：
キチン系糞便改質剤が、同物品に堆積した糞便の少なくとも一部分と接触して使用可能であるように、同物品に配置された有効濃度のキチン系糞便改質剤を含む。
【０００６】
本発明の第２態様に従って、第１腰部区域と、第１腰部区域に対向する第２腰部区域と、第１腰部区域と第２腰部区域との間に位置する股部区域とを有する、糞便を受けることに適合した使い捨て吸収性物品が提供される。該使い捨て吸収性物品は：
（ａ）液体透過性トップシート；
（ｂ）トップシートの少なくとも一部分に接合した液体不透過性バックシート；
（ｃ）トップシートの少なくとも一部分とバックシートの少なくとも一部分との間に位置する吸収性コア；及び
（ｄ）キチン系糞便改質剤が、物品に堆積した糞便の少なくとも一部分と接触可能であるように該物品に配置され、該物品に堆積することのある該糞便の少なくとも一部分の粘度又は硬度が変わるようにした有効濃度のキチン系糞便改質剤、
を有する吸収性物品。
【０００７】
本発明の第３態様に従って、第１腰部区域と、第１腰部区域に対向する第２腰部区域と、第１腰部区域と第２腰部区域との間に位置する股部区域とを有する、糞便を受けることに適合した使い捨て吸収性物品が提供される。該使い捨て吸収性物品は：
（ａ）液体透過性トップシート；
（ｂ）該トップシートの少なくとも一部分に接合した液体不透過性バックシート；
（ｃ）該トップシートの少なくとも一部分と該バックシートの少なくとも一部分との間に位置する吸収性コア；
（ｄ）ミリジュールのエネルギーあたり０．１９グラム／平方センチ／ミリジュール（０．５０グラム／平方インチ／ミリジュール）より大きいアクセプタンスアンダープレッシャーを有する腰部管理要素；及び
（ｅ）有効濃度のキチン系糞便改質剤、
を有する吸収性物品。
【０００８】
引用されるすべての特許、論文、文献、及び他の資料は、その関連部分において本明細書に参考として組み込まれるが、いずれの文献の引用もそれが本発明に関して先行技術であるとの容認として解釈されるべきではない。
【０００９】
特に指定しない限り、すべてのパーセント、比率、及び割合は重量によるものであり、すべての温度は摂氏温度（℃）によるものである。すべての測定値は、特に指定しない限りＳＩ単位による。
【発明を実施するための最良の形態】
【００１０】
本明細書は、本発明を特定して指摘し明白に請求する特許請求にて結論とするが、以下の好ましい実施形態の説明を添付図面と関連して読むことにより、本発明を更によく理解できると考えられている。
【００１１】
本明細書で使用する「糞便を受けることに適合した吸収性物品」（「吸収性物品」）という用語は、体の滲出物を吸収して閉じ込めるデバイスを指し、より具体的には、体から排泄された糞便を含むがこれに限定されない様々な滲出物を吸収して閉じ込めるために、着用者の体に対して又は近接して配置されるデバイスを指す。用語「使い捨て」は、本明細書において、洗濯、又は他の方法で吸収性物品として修復若しくは再使用することを一般に意図しない（即ち、その物品を、１回の使用後に廃棄するか、好ましくはリサイクルするか、堆肥化するか、そうでなければ環境に適応した方法で処分することを意図する）吸収性物品を記述するのに用いる。本明細書で使用する用語「おむつ」とは、一般に乳幼児及び失禁者により胴体下部の周囲に着用される吸収性物品を指す。本発明はまた、失禁用ブリーフ、失禁用下着、吸収性挿入物、トレーニングパンツ、おむつホルダー及びライナーなど、他の吸収性物品にも適用可能である。
【００１２】
本発明の一実施形態では、吸収性物品は使い捨ておむつである。一般的には、最近の使い捨ておむつは、液体透過性トップシート、液体不透過性バックシート；好ましくはトップシートの少なくとも一部分とバックシートの少なくとも一部分との間に位置する吸収性コア；サイドパネル；弾性化したレッグカフ；弾性的ウエスト機構；及び締着装置を具備する。一実施形態では、使い捨ておむつの対向する側面を縫い合わせるか、又は結合して、パンツを形成することも可能である。これにより、この物品は、トレーニングパンツのようなプルオン型おむつとして使用可能になる。使い捨ておむつの構造、組み立て、及び様々な構成要素についての追加の実例ではあるが、非限定的な情報は：米国特許第３，８６０，００３号（ビューエル（Buell））；米国特許第５，１５１，０９２号（ビューエル（Buell））；米国特許第５，２２１，２７４号（ビューエル（Buell））；米国特許第５，５５４，１４５号（ロー（Roe）ら、１９９６年９月１０日）；米国特許第５，５６９，２３４号（ビューエル（Buell）ら）；米国特許第５，５８０，４１１号（ニース（Nease）ら）；米国特許第６，００４，３０６号（ロブレス（Robles）ら）；米国特許第５，９３８，６４８号（ラボン（LaVon）ら）；米国特許第５，８６５，８２３号（クーロ（Curro））；米国特許第５，５７１，０９６号（ドブリン（Dobrin）ら）；米国特許第５，５１８，８０１号（チャペル（Chappell）ら）；米国特許第４，５７３，９８６号（ミネトラ（Minetola）ら）；米国特許第３，９２９，１３５号（トンプソン（Thompson））；米国特許第４，４６３，０４５号（アール（Ahr）ら）；米国特許第４，６０９，５１８号（クーロ（Curro）ら）；米国特許第４，６２９，６４３号（クーロ（Curro）ら）；米国特許第５，０３７，４１６号（アレン（Allen）ら）；米国特許第５，２６９，７７５号（フリーランド（Freeland）ら）；米国特許第４，６１０，６７８号（ワイズマン（Weisman）ら）；米国特許第４，６７３，４０２号（ワイズマン（Weisman）ら）；米国特許第４，８８８，２３１号（アンシュタット（Angstadt））；米国特許第５，３４２，３３８号（ロー（Roe））；米国特許第５，２６０，３４５号（デスマライス（DesMarais）ら）；米国特許第５，０２６，３６４号（ロバートソン（Robertson））；米国特許第３，８４８，５９４号（ビューエル（Buell））；米国特許第４，８４６，８１５号（スクリップス（Scripps））；米国特許第４，９４６，５２７号（バトレル（Battrell））；米国特許第４，９６３，１４０号（ロバートソン（Robertson）ら）；米国特許第４，６９９，６２２号（トゥーサン（Toussant）ら）；米国特許第５，５９１，１５２号（ビューエル（Buell）ら）；米国特許第４，９３８，７５３号（ヴァン・ゴムペル（Van Gompel）ら）；米国特許第５，６６９，８９７号（ラボン（LaVon）ら）；米国特許第４，８０８，１７８号（アジズ（Aziz）ら）；米国特許第４，９０９，８０３号（アジズ（Aziz）ら）；米国特許第４，６９５，２７８号（ローソン（Lawson））、及び米国特許第４，７９５，４５４号（ドラグー（Dragoo）に発行）、に見出される。
【００１３】
本発明の他の一実施形態では、吸収性物品の一部、例えばトップシートの一部分又は全部、バリアレッグカフの一部分又は全部などは、当該技術分野において既知であるように、ローションにより任意にコーティングすることも可能である。好適なローションの例には、米国特許第５，６０７，７６０号（ロー（Roe））；米国特許第５，６０９，５８７号（ロー（Roe））；米国特許第５，６３５，１９１号（ロー（Roe）ら）、米国特許第５，６４３，５８８号（ロー（Roe）ら）；及び米国特許第５，９６８，０２５号（ロー（Roe）ら）に記載されたものが挙げられるが、これらに限定されない。
【００１４】
（キチン系糞便改質剤）
本発明の吸収性物品は、１以上のキチン系糞便改質剤（「ＦＭＡ」、「粘稠な体外排泄物改質剤」、又は「改質剤」）を、糞便など、粘稠な体外排泄物の化学的又は物理的特性を改質可能な有効濃度で含む。本明細書で使用する「キチン系糞便改質剤」（又はＦＭＡ）は、本明細書で説明される硬度方法によって測定されるとき、所定の糞便類似物又は好ましくは実際の糞便の硬度を少なくとも約１００％に増加し得るいかなるキトサン物質も指す。しかしながら、特定の物品のデザイン及び糞便のタイプ次第で、糞便の有効粘度を増す、糞便の脱水の容易さを増す、糞便のべたつきを低減する、糞便の粘着特性を低減する、又は上記のいかなる組み合わせの実施形態もが考察される。本発明の糞便改質剤は、固体糞便の特性を改質できることもあるが、ＦＭＡは一般に、応力レオメーターで平行プレートを使用する応力レオメトリー試験で、１秒−１（one 1/sec）の剪断速度で、約１０ｃＰを超え、約１０７ｃＰ未満の（約３５℃で）、及びより厳密には、１秒−１（one 1/sec）の剪断速度で、約１０２ｃＰ〜１０７ｃＰの粘度をほぼ有する粘稠な流体の糞便の特性を変えるのに最も有効である。（参考として、水は、２０で１．０ｃＰの粘度を有し、ＪＩＦクリーミーピーナッツバター（プロクター・アンド・ギャンブル社（the Procter & Gamble Co.）（オハイオ州シンシナティー）から入手可能）は、この同じ剪断速度、２５℃で約４Ｘ１０５ｃＰの粘度を有する。）本明細書で使用する、粘度を決定する方法は、後の試験方法のセクションで詳細に説明される。
【００１５】
本明細書で使用するとき、ＦＭＡは、いかなるキトサン類、変性キトサン類、架橋キトサン類、キトサン塩類、及び他のキトサン系物質も指す。
【００１６】
理論に限定されることを望むものではないが、キチン系糞便改質剤は、水結合の程度を増すことによって一般的に糞便の構造部材を増大し、粘度の増加を導き、糞便の移動性を低減する増粘剤として機能することがあると考えられている。更にその上、キチン系糞便改質剤は、糞便における化学的構成要素と複合し、糞便内で、増大した構造部材及び剛性の区域を形成するイオンの錯化剤としても機能することがあるとも考えられている。生じる錯体は、糞便内の水をより堅固に安定化させるか又は結合させるように作用する。最後に、キチン系糞便改質剤は、糞便中の遊離水で溶解し、水と浸透的に「結合」し、その結果、糞便の硬い「構造部材」を増すことによって、糞便の粘度を増すことがあるとも考えられている。
【００１７】
糞便でのＦＭＡの特定の効果にかかわらず、ＦＭＡは、糞便に対してその機能を使用できるはずである。「ＦＭＡ」に関連して本明細書で使用する「使用可能である」という用語は、吸収性物品に又は着用者の皮膚に堆積した糞便の少なくとも一部分に直接接触するように、吸収性物品の通常着用過程にＦＭＡが吸収性物品内に位置するか、又は吸収性物品若しくは吸収性物品の構成要素によって提供されることを指す。ＦＭＡが構造部材内に位置する場合（例えばトップシートの下の吸収層に）、糞便がトップシートをほぼ貫通可能であるべきである。そのような場合、次の方法のセクションで説明されるアクセプタンス測量によって測定されるとき、構造部材がミリジュールのエネルギーあたり０．１９グラム／平方センチ／ミリジュール（０．５０グラム／平方インチ／ミリジュール）より大きい、好ましくはミリジュールのエネルギーあたり０．３８グラム／平方センチ／ミリジュール（１．０グラム／平方インチ／ミリジュール）より大きい、アクセプタンスアンダープレッシャーを有する場合、ＦＭＡは、「使用可能である」。ＦＭＡが被包性である場合、ＦＭＡは、糞便が吸収性物品を汚すときに又はほぼそのときに、吸収性物品によって解放されるべきである。例えば、ＦＭＡは、尿又は糞便の水分との接触で、糞便に接触するためにＦＭＡを溶解し、解放する水溶性フィルムによって保持されることもある。
【００１８】
本明細書で使用するとき、ＦＭＡの「有効濃度」は、吸収性物品における又は着用者の皮膚上における、（後に説明される硬度方法によって測定されるような）糞便の少なくとも一部分の硬度に、測定可能な効果を有するのに必要なＦＭＡの相対量を指す。「有効濃度」を説明するデータを後に提供する。好ましくは、処理する糞便の少なくとも約０．０１重量％のＦＭＡの濃度が望ましく、より典型的には糞便の約０．１〜約５０重量％が糞便に対して使用可能である。例えば、おむつにおける２５グラムの糞便の全荷重を５重量％の濃度で処理するために（即ち、「嵩」の処置）、１．２５グラムのＦＭＡが、糞便の塊に対して使用可能でなければならない（糞便の比重は１．０である）。故に、ＦＭＡは、好ましくは、物品の約０．００１重量％〜約５０重量％の範囲の濃度で、より好ましくは、濃度は、物品の約０．０１重量％〜約２０重量％の範囲で吸収性物品に存在する。
【００１９】
ＦＭＡは、好ましくは、室温（２０〜２５℃）で処理される糞便の約２０重量％以下の濃度で、硬度を約１００％増すことができる。より好ましくは、ＦＭＡは、処理される糞便の約１０重量％以下の濃度で、硬度を約１００％増すことができる。更により好ましくは、ＦＭＡは、処理される糞便の約５重量％以下の濃度で、硬度を約１００％増すことができる。他の好ましい実施形態では、ＦＭＡは、処理される糞便の約１重量％以下の濃度で、硬度を約１００％増すことができる。更に他の好ましい実施形態では、ＦＭＡは、処理される糞便の約０．５重量％以下の濃度で、硬度を約１００％増すことができる。典型的には、ＦＭＡは、処理される糞便の約０．１重量％〜約１０重量％の濃度で硬度を約１００％増すことができる。
【００２０】
好ましくは、硬度における画定された増加は、糞便との接触後、約３０分の範囲内で、より好ましくは約１５分以内で、更により好ましくは約５分以内で、更により好ましくは約３分以内で、最も好ましくは約１分で行われる。典型的には、所望の硬度変化は、約１分〜約１０分の範囲内で行われる。より好ましい実施形態では、硬度における画定された増加は、処理される糞便の約５重量％以下のＦＭＡ濃度で約３分以内に、又は処理される糞便の約１．５重量％のＦＭＡ濃度で３分以内に行われる。他の好ましい実施形態では、ＦＭＡは、約５％以下の濃度で約３分以内に、糞便類似物又は実際の糞便の硬度を約２００％増加することができる。更に他の好ましい実施形態では、ＦＭＡは、約５％以下の濃度で約３分以内に、糞便類似物又は実際の糞便の硬度を約４００％増すことができる。
【００２１】
キトサンは、天然多糖類であるキチンを部分的又は完全に脱アセチル化したものである。キトサンは、典型的にはキチン（ポリ−β（１−４）−Ｎ−アセチル−Ｄ−グルコサミン）の脱アセチル化によって作成されるアミノポリサッカリドであり、セルロースにおけるＣ−２ヒドロキシル基が、キトサンにおける一級アミン基と置換されたことを除いて、構造的にセルロースと類似している。キチンは、キノコ類の細胞壁や昆虫及び甲殻類の固い殻など、自然界に広く存在する。
【００２２】
キトサンの製造方法は、周知である。一般的には、キチンは粉末に粉砕されて、酢酸など、有機酸で非物質化される。次に、水酸化ナトリウムなど、塩基で処理することによりタンパク質及び脂質が除去され、次に、４０％の水酸化ナトリウムなど、濃縮した塩基で処理することによりキチンが脱アセチル化される。
【００２３】
キトサンの特性は、その高分子電解質及びポリマー炭水化物の特質と関連している。故に、キトサンは、水に、約６．５を超えるｐＨのアルカリ溶液に、又は有機溶媒にほぼ不溶性である。一般に、ギ酸、酢酸、酒石酸、グリコール酸、乳酸、及びクエン酸などの有機酸の希釈液には容易に溶解し、例えば硫酸は除き、鉱酸の希釈液にも容易に溶解する。一般にキトサンを溶解するのに要する酸の量は、アミノ基と化学量論的におおよそ比例する。キトサン中に存在するアミノ基のｐＫａは６．０〜７．０であるため、極めて低濃度の酸又はほとんど中性に近い溶液中でプロトン化することができ、このバイオポリマーはカチオン性の性質を有するようになる。
【００２４】
本明細書で使用するのに好適なキトサン物質には、水溶性キトサン及び非水溶性キトサンの両方が含まれる。本明細書で使用するとき、物質が大量の水にほぼ溶解して透明且つ安定した溶液を形成し、それによって元来の粒子状形態を失い、本質的に水溶液全体に亘って分子分散するようになるときに、その物質が水溶性であるとみなされる。本明細書に用いるのに好ましいキトサン物質は、水溶性である、即ち、２５℃、１気圧で、水１００グラムに少なくとも０．５グラム、好ましくは少なくとも１グラム、より好ましくは少なくとも２グラムのキトサン物質が溶解する。所定の化合物の「溶解度」は、本明細書では、２５℃、１気圧で、脱イオン水中で沈澱のない状態で溶解した前記化合物の量と理解されたい。
【００２５】
キトサン物質（即ち、キトサン、キトサン塩類、変性キトサン類、架橋キトサン、及び他のキトサン系物質）は、一般に幅広い分子量を有することも可能である。幅広い分子量を有するキトサン物質が、本発明に使用するのに好適である。本発明の一実施形態では、本明細書において使用するためのキトサン物質は、１グラムモルあたり約１，０００〜約１０，０００，０００グラム、より好ましくは約２，０００〜約１，０００，０００の範囲の分子量を有する。分子量とは、重量平均分子量を意味する。キトサン物質の重量平均分子量を測定する方法は、当業者には既知である。典型的な方法には、例えば、光散乱法、固有粘度、及びゲル透過クロマトグラフィーが挙げられる。一般に、キトサン物質の分子量を示すのに最も都合がよい粘度は、円筒形の＃６４スピンドルを使用して、ブルックフィールド粘度計を用い、２５℃で、１．０重量％の水溶液における粘度である。キトサン物質の粘度は、１．０重量％の酢酸水溶液を使用するなどして、対応するキトサン塩の粘度を測定することにより、間接的に測定するのが一般的である。本発明において使用するのに好適なキトサン物質は、２５℃で、１．０重量％の水溶液における粘度が、好適には約１ｃＰ〜約８０，０００ｃＰ（センチポアズ）、より好適には約３０ｃＰ〜約１０，０００ｃＰ、更により好適には５０ｃＰ〜約１，０００ｃＰ、更により好適には１００ｃＰ〜５００ｃＰである。
【００２６】
キトサン物質のｐＨは、キトサン物質を調製するために使用される過程による。本明細書において使用するのに好ましいキトサン物質は、典型的には約４〜約６、より好ましくは４〜５．５、更により好ましくは約４．５〜約５の範囲の酸性のｐＨを有する。非常に好ましいｐＨは、皮膚のｐＨと一致する約ｐＨ５である。キトサン物質のｐＨとは、本明細書では、２５℃、１気圧で、ｐＨ計で測定した１％キトサン溶液（キトサン物質１グラムを１００グラムの蒸留水に溶解したもの）のｐＨを意味する。
【００２７】
本発明の一実施形態では、本明細書で使用するキトサン物質は、キトサン塩類、特に水溶性キトサン塩類である。キトサン塩類の生成には、様々な酸を使用することができる。使用に好適な酸は、水溶性であるか部分的に水溶性であり、キトサンのアンモニウム塩を生成するのに充分に酸性であるが、キトサンの加水分解を引き起こすほど酸性ではなく、キトサンの反応部位をプロトン化させるのに充分な量存在する。
【００２８】
無機酸によって生成されるキトサン塩の例には、キトサン塩酸塩、キトサン臭化水素酸塩、キトサンリン酸塩、キトサンスルホン酸塩、キトサンクロロスルホン酸塩、及びこれらの混合物が挙げられるが、これらに限定されない。有機酸によって生成されるキトサン塩の例には、キトサンギ酸塩、キトサン酢酸塩、キトサン乳酸塩、キトサングリコール酸塩、キトサンマロン酸塩、キトサンエポキシコハク酸塩、キトサン安息香酸塩、キトサンクロロ酢酸塩、キトサンアジピン酸塩、キトサンクエン酸塩、キトサンサリチル酸塩、キトサンプロピン酸塩、キトサンニトリロ三酢酸塩、キトサンイタコン酸塩、キトサンヒドロキシ酢酸塩、キトサン酪酸塩、キトサンイソブル酸塩、キトサンアクリル酸塩、及びこれらの混合物が挙げられるが、これらに限定されない。例えば無機酸と有機酸の両方を含む酸の混合物を用いて、キトサン塩を生成するのも好適である。
【００２９】
本明細書における使用に好適ないくつかのキトサン塩は、キトサンとアミノ酸との反応によって生成されるものを含む。アミノ酸は、酸性基とアミノ官能基の両方を含有する分子である。他の酸の代わりにアミノ酸を使用することは、それらのキトサンアミノ酸塩がより高い皮膚適合性を有するので、極めて好ましい。実に、アミノ酸のほとんどが、皮膚に自然に存在している。ピロリドンカルボン酸のキトサン塩は、有効な保湿剤であり、皮膚に対する刺激がない。本明細書で使用するアミノ酸には、直鎖アミノ酸及び／又はシクロアミノ酸の両方が含まれる。本明細書で使用するアミノ酸の例には、アラニン、バリン、ロイシン、イソロイシン、プロリン、フェニルアラニン、トリプトファン、メチオニン、グリシン、セリン、システイン、チロシン、アスパラギン、グルタミン、アスパラギン酸、グルタミン酸、リジン、アルギニン、ヒスチジン、ヒドロキシプロリンなどが挙げられるが、これらに限定されない。シクロアミノ酸の好適な一例は、ピロリドンのカルボン酸であるピロリドンカルボン酸である。
【００３０】
いくつかの好ましいキトサン塩には、キトサンとピログルタミン酸との混合物であるキトサンピログルタミン酸塩；キトサン塩酸塩；及び２−ピロリドンカルボン酸のキトサン塩であるキトソニウムピロリドンカルボン酸塩が挙げられる。そのようなキトサン塩の調製の過程を詳細に説明しているＰＣＴ国際公開特許ＷＯ８７／７６１８（ユニオンカーバイド社（Union Carbide Corporation）、１９８７年１２月１２日出願）を参照する。
【００３１】
本明細書で使用するのに好適な他のキトサン物質には、架橋キトサン類及び変性キトサン類が挙げられる。本発明で使用するのに好適な架橋剤は一般に水溶性であり、実質的にキトサンの糞便改質特性を低減しない。好適な架橋剤の１つは、キトサン物質上にある活性基と反応できる、少なくとも２つの官能基又は官能価を有する有機化合物である。このような活性基の例には、カルボン酸基（−ＣＯＯＨ）、アミノ基（−ＮＨ２）、又はヒドロキシル基（−ＯＨ）が挙げられるが、これらに限定されない。そのような好適な架橋剤の例には、ジアミン類、ポリアミン類、ジオール類、多価アルコール類、ポリカルボン酸類、ポリオキシド類、及びこれらの組み合わせが挙げられるが、それらに限定されない。キトサン溶液に架橋剤を導入する方法の１つは、溶液の調製時に架橋剤とキトサンとを混合することである。他の好適な架橋剤には、Ａ１３＋、Ｆｅ３＋、Ｃｅ３＋、Ｃｅ４＋、Ｔｉ４＋、Ｚｒ３＋、Ｃｒ３＋及びこれらの組み合わせなど、２より多い正電荷を有する金属イオンが含まれる。
【００３２】
本発明で架橋剤を使用する実施形態では、架橋剤の好適な量は、架橋キトサンを調製するために使用されるキトサンの乾燥総重量の約０．００１重量％〜約３０重量％、より厳密には約０．０２重量％〜約２０重量％、より厳密には約０．０５重量％〜約１０重量％、最も好ましくは約０．１重量％〜約５重量％である。
【００３３】
本明細書での好適な使用のための変性キトサンには、グルカンの鎖がペンダント基を有するいかなるキトサンも含まれる。そのような変性キトサンの例には、カルボキシメチルキトサン、メチルピロリドンキトサン、グリコールキトサンなどが挙げられるが、これらに限定されない。メチルピロリドンキトサンは、米国特許第５，３７８，４７２号（ムッツァレリー（Muzzarelli）、１９９５年１月３日発行）に説明され、水溶性グリコールキトサン及びカルボキシメチルキトサンは、ＰＣＴ国際公開特許ＷＯ８７／０７６１８（ユニオンカーバイド社（Union Carbide Corporation）、１９８７年１２月１２日出願）に説明されている。本明細書に用いるのに特に好適な変性キトサンには、水溶性の共有結合キトサン誘導体、又は、親電子有機試薬とキトサン塩とを接触させることによって得られるイオン結合キトサン誘導体が挙げられる。そのような水溶性キトサン誘導体は、米国特許第５，６２１，０８８号（グルーバー（Gruber））及び米国特許第５，５９７，８１１号（グルーバー（Gruber））に説明されている。
【００３４】
キトサン誘導体の調製に用いるのに好適な親電子有機試薬は、１分子あたり２〜１８個の炭素原子又はそれ以上の炭素原子を含み、典型的には１分子あたり２〜１０個の炭素原子を含む。更に、親電子有機試薬は反応性基を含み、即ちこの基は求核原子と共有結合を形成できる。典型的な親電子有機試薬には、例えば、ラウリル、クロロ硫酸ナトリウム、ジメチル硫酸塩、クロロエタン硫酸ナトリウム、モノクロロ酢酸、アルキルフェニルグリシジルエーテル、グリシジルトリメトキシシラン、１，２−エポキシドデカンなどの、エチレンオキシド、プロピレンオキシド、ブチレンオキシド、グリシドール、３−クロロ−１，２−プロパンジオール、メチルクロライド、エチルクロライド、無水イサトイン酸、無水コハク酸、無水オクテニルコハク酸、無水酢酸、γ−ブチロラクトン、β−プロピオラクトン、１，３−プロパンスルトン、アクリルアミド、グリシジルトリメチル塩化アンモニウム、グリシジルジメチル塩化アルキルアンモニウム、及びこれらの組み合わせが挙げられる。親電子有機試薬の好ましい種類の１つには、エポキシ基、少なくとも１つの酸性基、好ましくは２つの酸性基を含み、１分子あたり３〜１８個、好ましくは３〜６個の炭素原子を有する親電子有機試薬がある。その他の好ましい親電子有機試薬には、シス−親電子有機試薬及びトランス−親電子有機試薬があるが、特に好ましいのはシス−親電子有機試薬である。親電子有機試薬は、キトサンの遊離アミン又は未加工ヒドロキシル基のいずれかと反応することもある。キトサンのアミンの機能性は、一般的にヒドロキシル基より強い求核性の部位とみなされることが既知である。結果として、弱い親電分子は、キトサンのヒドロキシル基とよりもアミン基とより容易に反応する傾向がある。
【００３５】
更に、親電子有機試薬基の他に、ヒドロキシアルキルエーテル基（例えばヒドロキシエチル又はヒドロキシプルピルエーテル基）、カルボキシアルキルエーテル基（例えばカルボキシメチル基）、アミド基（例えばスクシニル基）、エステル基（例えばアセテート基）、又はアミノ基（例えば３−（塩化トリメチルアンモニウム）ヒドロキシルプロピル又は３−（塩化ジメチルオクタデシルアンモニウム）ヒドロキシプロピルエーテル基）などのその他の置換基を含んだ変性キトサンも調整することができる。これらのその他の置換基は、親電子有機試薬との反応前又は反応後に導入するか、キトサン塩と親電子有機試薬及びその他の誘導体化試薬とを反応させるのと同時に導入することも可能である。
【００３６】
典型的には、こうした共有結合キトサン誘導体は次のような工程を経て得ることができる。（ａ）キトサン塩（例えば既に記載のいずれか）を有効量の水性腐食媒質中で分散させ、遊離アミン基を含む中和キトサンを生成する。（ｂ）親電子有機試薬をスラリー中に加える。（ｃ）キトサン上における親電子有機試薬の置換を促進するのに有効な温度及び期間でスラリーを維持して共有結合キトサン誘導体を生成し、共有結合キトサンを水性媒質に溶解させる。キトサン誘導体は塩、即ちイオン結合体に、又は共有結合体に調製することができる。そのようなキトサン誘導体の調製工程は、米国特許第５，６２１，０８８号（グルーバー（Gruber）１９９７年４月１５日発行）及び米国特許第５，５９７，８１１号（グルーバー（Gruber）、１９９７年１月２８日発行）に詳細に説明されている。
【００３７】
好適なキトサン類は、多数の業者から市販されている。市販のキトサン物質の代表的なものは、例えばヴァンソン社（Vanson Company）から入手可能なものである。
【００３８】
本明細書で使用するのに好ましい１つのキトサン塩は、脱アセチル化度が８５％を超え、水への溶解度が１％（２５℃、１気圧で１００グラムの蒸留水に１グラムが溶解する）、ｐＨが４．５、及び粘度が１００ｃｐｓ〜３００ｃｐｓであるキトサンピロリドンカルボン酸（キトソニウムピロリドンカルボン酸とも呼ばれる）である。このキトサンピロリドンカルボン酸は、アマコール社（Amerchol Corporation）から商品名キタメロ（Kytamero)ＰＣ（登録商標）として市販されている。好適なキトサン塩の他の例は、アマコール社（Amerchol Corporation）（ニュージャージー州エジソン（Edison)）からキタメール（Kytamer）（登録商標）ＰＣとして市販されているキトサンピロリドンカルボン酸塩である。他の好適なＦＭＡは、ＰＣＴ国際公開特許ＷＯ０１／８０９１１に説明されている。
【００３９】
典型的には、使い捨ておむつなど吸収性物品は、約０．５グラム／平方メートル〜約５００グラム／平方メートル、好ましくは約１グラム／平方メートル〜約２００グラム／平方メートル、より好ましくは約３グラム／平方メートル〜約１００グラム／平方メートル、最も好ましくは約４グラム／平方メートル〜約５０グラム／平方メートルのレベルで、ＦＭＡ又はその混合物を含む。
【００４０】
表ＩＩは、糞便類似物及び／又は糞便に関する様々なＦＭＡの濃度の効果を示している。ＦＭＡと糞便類似物又は糞便との混合が、次のサンプル調製方法で説明されている。
【表１】
2006517806.tif 000002
１．ニュージャージー州ホボケン（Hoboken）のコグニス・ケア・ケミカルズ社（Cognis Care C  hemicals）から入手可能な市販のキトサン、ハイダゲン（Hydagen）ＨＣＭＦ
ある実施形態では、物品内の糞便の全質量を処理する（即ち「嵩」の処理）のが望ましい一方、いくつかの好ましい実施形態では、糞便の一部分のみがＦＭＡで処理される。これらの実施形態では、ＦＭＡは、相対的に浅く糞便内に浸透するのみで、その結果、相対的に硬く、べたつかない改質された外側層を形成することがある。これは、ＦＭＡ利用の観点から、又はＦＭＡを糞便の塊内に混合する必要を取り除くために、好ましいとも言える。改質された外側層とは、糞便の塊の残部と異なる物理的特性を有する、糞便の塊の表面の、又は表面近くの、糞便の区域又は層である。好ましくは、改質された層は、残りの糞便より硬く（即ち高い降伏応力を有する）、べたつかず、及び／又は糞便に含まれる揮発性分子の拡散に対する高い抵抗性を有し、結果として、糞便の塊の拡散／移動性の低減、及び／又は着用者の皮膚への糞便の塊の粘着の低減、及び／又は糞便のにおいの低減をもたらす。好ましくは、改質された外側層区域は、厚さ約１ミクロン〜約１０００ミクロンであり、また糞便の塊全体又はそのいずれかの部分を覆うことも可能である。例えば、それは、皮膚／糞便境界面で、糞便のみを処理するのに好適であることも可能である（例えば、粘着を低減する、及び／又は洗浄を促進する、又は着用者の皮膚での拡散を低減する、又は吸収を促進する、又は物品内の拡散を低減する）。故に、１０重量％の濃度で、皮膚又は物品のトップシートの３０平方センチの面積の上で、糞便の塊の厚さ１ミリメートルの層を処理するために、（糞便の比重が１．０であると仮定して）糞便と接触する区域における糞便に対して、０．３０グラムのＦＭＡが使用できねばならない。
【００４１】
様々な実施形態では、ＦＭＡは、液体、固体（例えば粉末、繊維、フィルム、ウェブ）、若しくは半固体、又はこれらの組み合わせであることもある。ＦＭＡは、水／油若しくは油／水エマルション、懸濁液、又は混合物で提供されることが可能である。ＦＭＡは、別個の個々の要素として（例えば繊維性バット、又は吸収性物品内の若しくは同物品に取り付けた層として）吸収性物品に配置されることもあり、ローション若しくはスキンケア組成物、ウェブなど担体溶媒の中又は上に保持されることもあり、包み、セル、若しくは封筒の構造部材で取り外し可能に封じ込められることもある。
【００４２】
ＦＭＡがスキンケア組成物により放出される実施形態では、ＦＭＡは、スキンケア組成物に可溶性であることもあり、又は懸濁液の状態で若しくは単純な混合物として保持されることもある。
【００４３】
ＦＭＡは、糞便へのＦＭＡの付着によって直接、糞便に放出されてもよいか、糞便への付着の前に、最初に着用者の皮膚若しくは吸収性物品の他の要素に付着することもある。担体溶媒は、吸収性物品と一体であることも、或いは、おむつ、トレーニングパンツ、下着、若しくは他の吸収性物品に先だって又はその代わりに着用者に適用される（好ましくは少なくとも肛門周辺の上に）別個の吸収性物品を構成することも、又は同物品の構成要素であることも可能である。
【００４４】
任意の担体溶媒が存在する場合、ＦＭＡは、粘着剤（特に水溶性粘着剤）、水素結合、取り外し可能な封入、スプレー、コーティングなど、当該技術分野において既知のいかなる手段を使用して、任意の担体溶媒に接合されることもある。吸収性物品への又はその構成要素へのＦＭＡの水素結合は、ＦＭＡ又は基材の少なくとも一部分のどちらかを水で僅かに濡らすことによって行われることもある。乾燥すると、ＦＭＡは吸収性物品に取り外し可能に固定される（即ち液体、水とのその後の接触が、固着を破断する）。この効果は、濡れると「ゲル化する」及びべたつくＦＭＡにとっては強化となる。濡れは、接触前又は接触時に、ＦＭＡ、吸収性物品のどちらか、又は両方を高湿度環境（例えば８０％ＲＨ以上）にさらすことによって達成されることがある。或いは、その接触前又は接触時に、ＦＭＡ又は吸収性物品のどちらかの少なくとも一部分の上に、水をスプレー、霧吹き、又は霧状にかけてもよい。そのような場合、構造部材は、吸収性物品に組み込まれる前に、好ましくは乾燥される。
【００４５】
ＦＭＡは、吸収性物品の表面で又は表面近くで（例えばトップシート／糞便境界面で）、吸収性物品内で（排出物管理要素の中で）、又は糞便の塊の身体側（即ち皮膚、又は吸収性物品の平面より上の他の表面に最初に付着した）表面で、糞便に接触することも可能である。典型的には、ＦＭＡは、吸収性物品の、着用者の肛門と関連する区域（例えば、おむつにおいては股区域）で糞便と接触する。或いは、着用者の肛門で又は肛門近くでＦＭＡがオリフィス、フランジ、弁、などを通過するとき、糞便がＦＭＡに接触することもある。そのような場合、ＦＭＡは、体から押し出されるときの糞便の通過圧力によって、オリフィス又は弁から（例えば貯臓器から）表出されるか引き出されることもある。オリフィスは、シート、封筒、包み、又はＦＭＡ若しくは体からの糞便の出口に近接して配置されたＦＭＡを含む組成物を含有する他の構造部材における、スリット、溝、又は穿孔を含むこともある。オリフィスは、糞便との接触により溶解してＦＭＡ又はＦＭＡを含む組成物を解放する可溶性フィルムによって、最初に密閉されることもある。或いは、糞便の通過又は圧力によって構造部材が変形するとき、オリフィスが開けられることもある。体の圧力及び動きに加えて、糞便の圧力が、ＦＭＡがオリフィスを通って糞便へ表出されるのを助けることもある。
【００４６】
他の実施形態では、ＦＭＡは、レッグカフ、ウエストバリア、ウエストバンド、ウエストポケットなどのガスケットと、又は糞便を離間する要素と関連することもある。ＦＭＡが、レッグカフ、ウエストバリア、又はウエストポケットなどのガスケット要素と関連する実施形態では、ＦＭＡは、着用者からの排泄物の出口（例えば肛門）の最も近くに配置されたガスケットの部分と関連するのが好ましい。
【００４７】
ＦＭＡは、受動的に（例えば、通常の着用状態中に糞便が流れてＦＭＡに接触する）、活動的に（例えば、吸収性物品における要素が信号に反応して、ＦＭＡを糞便に放出する／解放する）、又は第２の担体によって（例えば、着用者の皮膚に最初に付着する粉末又は他のスキンケア組成物）放出されることもある。糞便へのＦＭＡの放出は、糞便押出し圧力、重量、温度、酵素活性、水分含有量、及び／又はｐＨ；尿の存在（例えば、排便に反応した又は排便を予期した、尿が誘発するＦＭＡの解放）；体の動き、圧力、若しくは熱；又は吸収性物品の繰り返される着用中の他のいかなる誘引若しくは事象、の結果として発生することもある。
【００４８】
ＦＭＡは最初、吸収性物品若しくはその任意の、部分内、又はその上に貯蔵され、次に、本明細書で説明されるいずれかの誘引事象によって解放されることもある。ある好ましい実施形態では、吸収性物品が糞便に侵される前にＦＭＡが移動及び／又は損失するのを防ぐために、及び／又は使用中にＦＭＡが糞便と接触するような位置決めを助けるために、ＦＭＡはフィルムの下に、セル、包み、封筒などの中に、取り外し可能に封入される。
【００４９】
（任意の排泄物処理要素）
本発明の一実施形態では、吸収性物品は腰部管理要素を含むこともある。腰部管理要素は、粘性流体排泄物の受入れ、貯蔵、及び／又は不動化の管理を助けるように設計される。腰部管理要素は、股部区域若しくは腰部区域のいずれかを含む吸収性物品のどこにでも位置することもでき、コア、レッグカフなどのいかなる構造部材若しくは要素と関連しても又はそれに含まれることもある。好ましい実施形態では、腰部管理要素は、吸収性物品の着用時に着用者の肛門周辺近くにある区域に位置する。これは、排泄されたいかなる排泄物の腰部管理要素の上又は近くへの堆積を確実にするのを補助することにある。本発明のＦＭＡは、糞便と接触する位置にある限り、貯蔵要素のどの部分と関連してもよい。
【００５０】
腰部管理要素は、排泄物を受入れる、貯蔵する、又は不動化することができるいかなる物質又は構造部材であることも可能である。故に、腰部管理要素は、相互に作用する単一物質又は多くの物質を含むことも可能である。更に、腰部管理要素は、吸収性物品の他の要素と一体であることも、吸収性物品の１以上の要素と直接的に若しくは間接的に接合した１以上の独立した要素であることもある。更に、腰部管理要素は、コアから分離している構造部材を含むことも、コアの少なくとも一部分を含むか若しくは一部分であることもある。
【００５１】
腰部管理要素として使用する好適な材料には、大形開放気泡発泡体、マクロ孔質耐圧縮性不織布嵩高品、開放及び閉塞気泡発泡材の大形の粒状成形物（マクロ及び／又はミクロ孔質）、嵩高不織布、ポリオレフィン、ポリスチレン、ポリウレタン発泡体若しくは粒状物、多数の垂直配向のループ状繊維ストランドを含む構造部材、打ち抜き穴若しくは窪みを有する上述の吸収性コアの構造部材、などが挙げることが可能である。（本明細書で使用する用語「ミクロ孔質」とは、毛管作用により流体を移送できる材料を指す。用語「マクロ孔質」とは、細孔が大きすぎて流体の毛管移送ができない材料を指し、一般に径が約０．５ミリメートルよりも大きい孔を有し、より厳密には、径が約１．０ミリメートルより大きい孔を有する。）腰部管理要素の一実施形態は、非圧縮厚さ約１．５ミリメートルを有する、機械的に固定するループランディング要素を含み、ミネソタ州ミネアポリス（Minneapolis)の３Ｍ社からＸＰＬ−７１２４として入手できる。他の実施形態は、１１０グラム／平方メートルの坪量及び７．９ミリメートルの非圧縮厚さを有する６デニールの織縮された繊維を含む樹脂接着された嵩高不織布を含み、その材料は、ジョージア州レンス（Wrens）にあるグリット社（the Glit Company）から入手できる。他の好適な吸収性及び非吸収性腰部管理要素は、（１９９９年８月２４日、ロー（Roe）に発行された）米国特許第５，９４１，８６４号、名称「改良された糞便貯蔵性を有する使い捨て吸収性物品」に説明されている。更に、腰部管理要素又はそのいずれかの部分は、腰部管理要素の性能又は他の特性を加える、強化する、又は変えるために、ＦＭＡ、ローション、若しくは他の既知の物質を含むことも、又はそれでコーティングされることもある。
【００５２】
更に、腰部管理要素が存在するとき、排泄物を受けて閉じ込めるためのポケット、排泄物に空隙を提供するスペーサー、吸収性物品における排泄物の動きを制限するためのバリア、吸収性物品に堆積した排泄物の材料を受入れて閉じ込める区画若しくは空隙など、又はこれらのいかなる組み合わせを含むことが可能である。腰部管理要素として吸収性物品に使用されるポケット及びスペーサーの実施例は、米国特許第５，５１４，１２１号（ロー（Roe）ら）；米国特許第５，１７１，２３６号（ドレイル（Dreier）ら）；米国特許第５，３９７，３１８号（ドレイル（Dreier））；米国特許第５，５４０，６７１号（ドレイル（Dreier））；ＰＣＴ国際公開特許ＷＯ９３／２５１７２、名称「衛生的な吸収性物品において使用するためのスぺーサー及びそのようなスペーサーを有する使い捨て吸収性物品（Spacers For Use In Hygienic Absorbent Articles And Disposable Absorbent Articles Having Such Spacer）」（１９９３年１２月３日公開）；米国特許第５，３０６，２６６号（フリーランド（Freeland））；及び米国特許第５，９９７，５２０号（アール（Ahr）ら）に説明されている。区画又は空隙の実施例は、米国特許第４，９６８，３１２号（カーン（Khan））；米国特許第４，９９０，１４７号（フリーランド（Freeland））；米国特許第５，０６２，８４０号（ホルト（Holt）ら）；及び米国特許第５，２６９，７５５号（フリーランド（Freeland）ら）に開示されている。好適な横方向のバリアの実施例は、米国特許第５，５５４，１４２号（ドレイル（Dreier）ら）；ＰＣＴ国際公開特許ＷＯ９４／１４３９５、名称「横方向の直立した仕切りを有する吸収性物品（Absorbent Article Having An Upstanding Transverse Partition）」（１９９４年７月７日公開、フリーランド（Freeland）ら）；及び米国特許第５，６５３，７０３号（ロー（Roe）ら）に説明されている。低粘度糞便の管理に特に好適な他の構造部材の実施例は、米国特許第５，９４１，８６４号（ロー（Roe)ら）、米国特許第５，９７７，４３０号（ロー(Roe)ら）、及び米国特許第６，０１３，０６３号（ロー（Roe）ら）に開示されている。
【００５３】
ＦＭＡは、マクロ粒子状要素上に又は同要素内に保持されることもある。これらのマクロ粒子状要素は、トップシート、カフ、若しくは吸収性物品の他の機構に（取り外し可能又は不可能に）取り付けた腰部管理要素に含まれることもあり、又は体に独立的に取り付けた分離した吸収性物品の状態で遊離することもある。更に、ＦＭＡを保持する、収容する、放出する、又は混合する構造部材のいずれもが、ＦＭＡと糞便との接触面積を増すように、及び／又は混合を促進するように設計された突出部又は他の３次元構造部材を含むことも可能である。
【００５４】
腰部管理要素を含む、本発明における吸収性物品のこれらの実施形態は、ミリジュールの入力エネルギーあたりでの腰部管理要素の平方インチあたり粘性流体排泄物の約０．５グラムより多い、アクセプタンスアンダープレッシャーを有する腰部管理要素を任意に有することもある。より好ましくは、粘性流体排泄物のミリジュールのエネルギーあたり約０．２３６グラム／平方センチ／ミリジュール（０．６グラム／平方インチ／ミリジュール）より大きいアクセプタンスアンダープレッシャーを有する腰部管理要素である。更により好ましくは、粘性流体排泄物のミリジュールのエネルギーあたり約０．３１グラム／平方センチ／ミリジュール（０．８グラム／平方インチ／ミリジュール）より大きい、最も好ましくは約０．３９グラム／平方センチ／ミリジュール（１．０グラム／平方インチ／ミリジュール）より大きいアクセプタンスアンダープレッシャーを有する腰部管理要素である。一般に、少なくともミリジュールのエネルギーあたり約０．２３６グラム／平方センチ／ミリジュール（０．６グラム／平方インチ／ミリジュール）〜ミリジュールのエネルギーあたり約３．９４グラム／平方センチ／ミリジュール（１０．０グラム／平方インチ／ミリジュール）と、ミリジュールのエネルギーあたり約０．３１グラム／平方センチ／ミリジュール（０．８グラム／平方インチ／ミリジュール）〜ミリジュールのエネルギーあたり約３．９４グラム／平方センチ／ミリジュール（１０．０グラム／平方インチ／ミリジュール）の、アクセプタンスアンダープレッシャーを有することが可能であることが判明した。
【００５５】
或いは、排泄物受入れ要素は、ミリワット（ｍＷ）の力あたりの腰部管理要素の平方インチあたり少なくとも約１．５グラムの、より好ましくは力の約１．１８グラム／平方センチ／ミリワット（３．０グラム／平方インチ／ミリワット）より大きい、更により好ましくは力の約１．９７グラム／平方センチ／ミリワット（５．０グラム／平方インチ／ミリワット）より大きい、最も好ましくは力の約３．９４グラム／平方センチ／ミリワット（１０．０グラム／平方インチ／ミリワット）より大きい、レセプティブティイアンダープレッシャーを任意に有することも可能である。一般に、力の約０．５９〜約１９．６８グラム／平方センチ／ミリワット（１．５〜約５０．０グラム／平方インチ／ミリワット）であり、また力の約１．９７〜約１９．６８グラム／平方センチ／ミリワット（５．０〜約５０．０グラム／平方インチ／ミリワット）のレセプティブティイアンダープレッシャーを有することもある。
【００５６】
レセプティブティイアンダープレッシャー及びアクセプタンスアンダープレッシャーのこうした好ましいパラメーターは、使用を意図するときに好ましくは評価される一体化した吸収性物品に関する。即ち、使用を意図される吸収性物品が１つより多い構成要素又は層を含む場合、吸収性物品の構成要素又は層の全てが、その性能を測定するとき、通常の使用中であるように設定されるべきである。アクセプタンスアンダープレッシャー性能を決定する方法のより詳細な説明が、下記の試験方法のセクションに含まれる。
【００５７】
（試験方法）
（粘度）
粘度類似物又は糞便を、応力レオメーターによって決定することも可能である。好適なレオメーターは、Ｔ．Ａ．インスツルメンツ社（Instruments,Inc.）（デラウエア州、ニューキャッスル（New Castle））からモデル番号ＳＣ２１００として入手可能である。レオメーターは、ステンレス平行プレート取り付け具を利用する。レオメーターは、サンプルが上に置かれる剛性水平の第１プレートと、第２プレートの軸線が第１プレートに対して直交するように第１プレート上に取り付けられる第２プレートとを有する。第２プレートは、径が２又は４センチである。硬く、べたつき、又は非常に粘液質のサンプルに２センチの平行プレートを使用し、非常に流れやすい若しくは「水様の」糞便又は類似物のサンプルに４センチの平行プレートを使用する。第１と第２のプレートを、測定過程中２０００ミクロンまで離間する。第２プレートを、軸方向回転のために駆動軸へ接続する。駆動モータ及び歪みセンサも、駆動軸に取り付ける。全ての測定は、標準温度、標準圧力、及び標準湿度で、即ち２１．１℃（７０°Ｆ）、１気圧、及び５０％の湿度で行われるべきである。
【００５８】
試験される類似物又は糞便の好適なサンプル（典型的には２〜３グラム）を、第１プレートの上で中心を合わせ、第２プレートの軸線より下でほぼ中心を合わせて置く。試験前に未消化食物の大きい片（例えば種）があれば、取り除く。第１プレートを、所定の位置まで上げる。第２プレートの径を越えてはみ出したサンプルの過剰量を、へらを使用して取り除く。次に、測定過程中の水分損失による縁効果を防止するために、水をサンプルの縁部の周りに霧吹きする。硬いペースト状サンプルの場合、５０〜５０，０００ダイン／平方センチの剪断応力がプログラムされて、レオメーターによりサンプルへ加えられる。流れやすい水のようなサンプルについては、５〜５０００ダイン／平方センチの範囲の剪断応力が使用される。データを、指数法則関数に適合し、そこにおいて見掛粘度はｋｊ（ｎ−１）、ｋはコンシステンシー（ｃＰｘｓｅｃ（ｎ−１）の単位）、ｊは剪断速度（ｌ／秒の単位）、及びｎは剪断インデックス（無次元）である。従って、ｊが１秒−１（one 1/sec）であるとき、粘度はｋである。（プレートは、試験中を通して、３５°Ｃで維持される。）
【００５９】
（硬度方法）
硬度を、スティーブンス・ファーネル社（Stevens-Farnell)のＱＴＳ−２５テキスチャー・アナライザー、モデル７１１３−５キログラムと、４８６以上のプロセッサを有するインテル系マシンの関連するソフトウエアとを使用して測定する。１／２インチのステンレススチール球形プローブ及び類似物容器が設けられる。適切なプローブは、英国ハットフィールド（Hatfield）にあるレオナルド・ファーネル社（Leonard Farnell Co.）から入手できるＴＡ１８プローブである。類似物容器は、長さ７〜約１６ミリメートルの、線状低密度ポリエチレンのシンチレーションバイアル瓶（内径１．３９７センチ＋／−０．０１２７センチ（０．５５インチ＋／−０．００５インチ）を有する）を切断することによって作成できる。好適なバイアル瓶は、キンブルガラス社（Kimble Glass Company）（ニュージャーシー州 バインランド（Vineland））から＃５８５０３−７バイアル瓶として入手可能である。類似物容器は、上縁部まで（水平に）、試験される類似物（本明細書で説明されるような類似物Ａ又は類似物Ｂ）又は糞便を充填する。改質剤が評価される場合、次に説明されるサンプル調製方法によりサンプルを調製する。バイアル瓶を、１．２７センチ（１／２インチ）の球形ステンレススチールプローブの下に中心を合わせて置く。プローブを、バイアル瓶中の類似物の表面にちょうど接触するように下げる。プローブを、約１００ミリメートル／分で下向きに７ミリメートル移動し、停止する。硬度は、プローブの７ミリメートルの行程で記録された抵抗力のグラムでの最大値である。（室温及び類似物又は糞便は、測定過程の間、約１８．３〜２３．９°Ｃ（６５〜７５°Ｆ）にするべきである。）参考のために、硬度は、物質の粘稠モジュールと弾性モジュールとの組み合わせである、物質の複合モジュールに強く関係することが判明した。
【００６０】
（類似物Ａを作成する方法）
ウルトラダウンディッシュウォッシングリキッド（ULTRA DAWN DISHWASHING LIQUID）（オハイオ州シンシナティー（Cincinnnati）のプロクター・アンド・ギャンブル社（the Procter & Gamble Co）から入手可能）１．５グラムを空の金属の混合ボウルに添加する。フェクロン（Feclone）ＦＰＳ−２及びフェクロン（Feclone）ＦＰＳ−４を、それぞれ１０グラム、ダウン（Dawn）を含むボウルに添加する。（フェクロン（Feclone）材料は両方共、ペンシルバニア州バリーフォージュ（Valley Forge,）のシリクロンスタジオ（Siliclone Studios）から入手可能。）次に、９３．３°Ｃ（２００°Ｆ）まで加熱した蒸留水２００ミリリットルを混合ボウルに添加する。次に、生じる混合物を、ゴム又はプラスチックのへらを使用して、混合物に空泡を入れないように注意深く、均一になるまで（通常、約３〜５分）手で攪拌する。適切に調製されるとき、上記の硬度方法によって測定される類似物Ａは、約７〜約１０グラムの抵抗力の硬度を有する。
【００６１】
（類似物Ｂを作成する方法）
粘性流体排泄物の類似物である類似物Ｂは、オハイオ州ブレックスビル（Brecksville）のグッドリッチ社（B.F.Goodrich Corporation）から入手可能なカーボポール（Carbopol）９４１、１０グラム又は等価のアクリル酸ポリマーを蒸留水９００ミリリットル中で混合することによって作成される糞便物質の類似物である。カーボポール（Carpobol）９４１及び蒸留水を別々に計量し、測定する。径５．０８センチ（２インチ）のパドル（オハイオ州シンシナティー（Cincinnati）のＶＷＲサイエンティフィックプロダクツ社（Scientific Products Corp.）からカタログ＃ＢＲ４５５３−６４で入手可能、０．９５ｃｍ（３／８”）の攪拌シャフトＢＲ４５５３−５２に固定）を有する３ブレードのマリンタイプのプロペラを、蒸留水を攪拌するのに使用する。プロペラ速度を、混合中は４５０回転数／分（ｒｐｍ）で一定にする。攪拌機には、飛まつを生じることなく渦巻きを形成させる。カーボポール（Carbopol）をゆっくりと水中にふるい入れて、渦巻きに引き込み、白い塊又は「魚眼」を形成することなく混合する。混合物を、全てのカーボポール（Carbopol）を添加するまで攪拌して、その後２分間攪拌する。混合物を含むボウルの側面をこすり、必要なだけボウルを回転させて、均一な混合物を作成する。（混合物は空泡で僅かに曇ることがある。）次いで、ニュージャージー州、フィリップスバーグ（Phillipsburg）のベーカー社（J.T.Baker Co.）から入手可能な１．０Ｎの体積測定のＮａＯＨ溶液１００グラムを計量して、ゆっくりとその混合物に注ぎ、均一になるまで攪拌する。混合物は濃くなり、透明になるはずである。その混合物にアルカリ溶液を添加し、その後２分間攪拌する。その中和された混合物を少なくとも１２時間平衡させ、その後９６時間以内にアクセプタンスアンダープレッシャーテストを使用する。類似物Ｂの混合物を使用する前に、混合物が均一であることを確実にするために、低速（約５０回転数／分（ｒｐｍ））で約１分間容器の中で攪拌する。
【００６２】
類似物Ｂは、正確に調製されるとき、５５〜６５グラムの「硬度」値を有するはずである。硬度を、スティーブン・ファーネル（Stevens-Farnell）ＱＴＳ−２５テキスチャ−・アナライザー、モデル７１１３−５キログラムと、４８６以上のプロセッサを有する、インテル系マシンの関連するソフトウエアとを使用して測定する。１．２７センチ（１／２インチ）のステンレススチール球形プローブと類似物容器とを用意する。適切なプローブは、英国ハットフィールド（Hatfield）にあるレオナルド  ファーネル社（Leonard Farnell Co.）から入手できるＴＡ１８プローブである。類似物容器は、長さ７〜１５ミリメートルの、線状低密度ポリエチレンのシンチレーションバイアル瓶（１．３９７センチ＋／−０．０１２７センチ（０．５５インチ＋／−０．００５インチの内径を有する）を切断することによって作成できる。好適なバイアル瓶は、ニュージャージー州バイランド（Vineland）のキンブルガラス社（Kimble Glass Company）から＃５８５０３−７バイアル瓶として入手可能である。類似物容器に、試験される類似物を上端縁部から２ミリメートル以内まで充填する。バイアル瓶は、１．２７センチ（１／２インチ）の球形のステンレススチールプローブの下で中心を合わせる。プローブを、バイアル瓶内の類似物の表面から約１ミリメートルの深さまで下げる。プローブを、１００ミリメートル／分で下向きに７ミリメートル下げて、停止させる。硬度は、プローブの７ミリメートル行程上でプローブにより生じた最大記録抵抗力である。（室温及び類似物は、測定過程の間、約１８．３〜２３．９°Ｃ（６５〜７５°Ｆ）にするべきである。）
糞便類似物Ａの、合性糞便類似物材料の参考硬度値は、９．７グラム抵抗力である。類似物Ａは、典型的な「流れやすい」糞便の水分含有量、硬度、及び粘着特性を表す。
【００６３】
いくつかの比較例と類似物Ａとの混合の効果が、次の表１に明示されている。全ての比較物質が類似物Ａと混合された。硬度における所望の変化が比較物質によって達成されなかったことは明白である。
【表２】
2006517806.tif 000003
１．ダイエタリーファイバーコントロール（Dietary Fiber Control）、シグマケミカル社（Sigma   Chemical Co.）（ミズーリ州 セントルイス（St.Louis）Ｓ−２３８８）
２．ジョンソン・アンド・ジョンソン社（Johnson & Johnson,Co）（ニュージャージー州スキルマ  ン（Skillman））
【００６４】
（アクセプタンス及びレセプティビティイアンダープレッシャー）
アクセプタンスアンダープレッシャーを、図１に説明される装置１３９を使用する次の試験によって測定する。中空のプレキシグラス円筒形体１４０を、約９．５ミリメートル厚さのステンレススチールプレート１４２の上に取り付ける。プレート１４２は、約１０．１６センチｘ１０．１６センチ（約４インチｘ４インチ）の正方形である。円筒形体１４０及びプレート１４２の組み合わせは、高さ７．６センチ（約３．０インチ）、内径５．０８センチ（約２．００インチ）、及び外径６．３センチ（約２．４８インチ）を有する。円筒形体１４０の底部は、プレート１４２より下に約３．５ミリメートルの深さに伸びる。口唇部１４３は、試験糞便又は類似物１６６が指定された試験区域の外側に漏れるのを防ぐ。それぞれが５．０８センチ（約２．０インチ）の径を有する２つの６２５グラムの重り１５６をも設ける。
【００６５】
円筒形の２４．６グラムのプレキシグラス重り１４４が設けられる。重り１４４は、５．０８センチ（約２．０インチ）の径を有するので、精密公差で円筒形体１４０内に適合するが、円筒形体１４０の穴１４１の上から下まで自由に滑動できる。この配置により、約１１９パスカル（Ｐａ）（約０．０１７ポンド／平方インチ）の圧力、及び約２０．２７平方センチ（約３．１４２平方インチ）の試験区域が設けられる。所望する場合、重り１４４は、円筒形体１４０に容易に挿入され、そこから取り出されることを可能にするハンドル１４５を有することも可能である。そうした場合、ハンドル１４５と円筒形の重り１４４とを組み合わせた質量は、２４．６グラムに等しいはずである。
【００６６】
アクセプタンスアンダープレッシャー特性について試験される構造部材のサンプル１４６が提供される。サンプル１４６を、既存のおむつから切断するか、おむつに成形されていない材料から作成できる。サンプル１４６は、物品において使用することを意図される構造部材全て、又はトップ層１６１を含む、評価される物品の構造部材全てを含む。サンプル１４６を、１０．１６センチｘ１０．１６センチ（約４インチＸ４インチ）の寸法の正方形に切断する。
【００６７】
本明細書で説明されるような別個の腰部管理要素の、アクセプタンスアンダープレッシャー性能を測定するために、下部構造又は層の代わりに、図２に示されるような標準貯蔵要素１４７を使用してアクセプタンスアンダープレッシャー試験が行われる。標準貯蔵要素１４７には、図２に示されるような、規則的に離間した径４．３ミリメートルの１５３個の穴１６８のパターンを有する、１０．１６センチの正方形（４インチの正方形）、１．６ミリメートル厚さのアルミニウムプレートが含まれる。穴は、約２６個／平方インチあるように配置される。）
１０．１６センチｘ１０．１６センチ（４インチｘ４インチ）の寸法の高坪量吸取紙１４９、５枚が提供される。吸取紙材料１４９は、好ましくは、＃６３２−０２５として、ペンシルバニア州マウントホーリースプリングス（Mt.Holly Springs）のアールストロム・フィルトレーション社（Ahlstrom Filtration,Inc.）から入手可能な、約９０グラム／平方メートルの坪量を有する濾過等級紙である。
【００６８】
サンプル１４６のトップ層１６１を取り外し、サンプル１４６の残りの構成要素又は層（多数の構成要素又は層がある場合）、及び５枚の吸取紙材料１４９をほぼ０．０１グラム単位で計重する。故に、サンプル１４６がおむつから取られる場合、トップシート、第２トップシート、獲得層、吸収性コアなどおむつの層を、計重前に分離する。（単一層が２つ以上の永久的に接着された要素を含む場合がある。）そのように実施する際、サンプル１４６を破らないように、又はサンプル１４６のいかなる部分にも意図しない大きな変形を起こさないように注意しなければならない。サンプル１４６の層は、サンプル１４６の隣接する層からの分離を補助するために凍結させることも可能である。その凍結は、マサチューセッツ州、ウオルサムにあるフィリップスＥＣＧ社（Philips ECG Inc.）製のＰＨ１００−１５回路冷媒を使用して達成できる。
【００６９】
次に、サンプル１４６の側が吸取紙材料１４９から離れて着用者に面することが意図される、５枚重ねの吸取紙材料１４９の最上部の上に最初の形体のようにサンプル１４６を再度載せる。
【００７０】
サンプル１４６と吸取紙材料１４９の集成体は、スティーブンス・ファーネル（Stevens Farnell)ＱＴＳ−２５モデル７１１３−５キログラムテキスチャー・アナライザー１６０（英国ハットフィールド（Hatfield）にあるレオナルド・ファーネル社（Leonard Farnell Co.）から入手できる）の測定表面１６４の上で、またプローブ１６２の下で中心を合わせて置く。好適なプローブ１６２は、英国ハットフィールドのレオナルド・ファーネル社（the Leonard Farnell Co.）から入手可能な、末端部が平坦な円筒形の１００センチのアルミニウム伸長ロッド「ＱＴＳＭ３１００」である。円筒形体１４０は、サンプル１４６の上で中心を合わせて置く。２つの６２５グラムの重り１５６は、プレート１４２の対向する隅部（対角線に）に載置されて、そのプレートを安定化する。サンプル１４６の最上部まで、円筒形体１４０の穴１４１を通して約１０立方センチメートルの粘性流体の排泄物類似物１６６（本明細書で説明される類似物Ｂ）を分配するために、約４〜６ミリメートルの開口部を有する注射器が使用される。
【００７１】
粘性流体の排泄物類似物１６６の類似物Ｂの適量が測定されて円筒形体１４０に入れられると、２４．６グラムの重り１４４が、類似物の表面で落ちつくまで、円筒形体１４０の穴１４０にゆっくりと、静かに挿入される。テキスチャー・アナライザー１６０を作動させ、プローブ１６２が、約１４４．６グラムの抵抗力に達するまで、１０ミリメートル／分の速度で円筒形の重り１４４を押す。テキスチャー・アナライザー１６０は、一旦１４４．６グラムの抵抗力に達すると、下向行程を停止するように設定される。レコーダーは、５グラムの抵抗力で起動するように設定される。（１４４．６グラムの最大抵抗力は、加えられる７００パスカル又は４５．３６グラム／２．５４平方センチ（０．１ポンド／平方インチ）の圧力に対応する。）一旦１４４．６グラムの抵抗力に達すると、プローブ１６２はその開始位置まで引っ込められる。
【００７２】
重り１４４を円筒形体１４０から取り外し、次いで、円筒形体１４０に残っている類似物Ｂをサンプルに落とさないように注意して、円筒形体１４０をサンプル１４６の表面から取り外す。次いでサンプル１４６のトップ層１６１を、可能ならば、下部層の表面に平行にトップ層１６１を引っ張ることにより、サンプル１４６の下部層から取り外す。トップ層１６１を下部層に平行に引っ張ることにより取り外すことが難しい一定の構造の場合、トップ層１６１をサンプル１４６の下部層から剥離するか、又は持ち上げることも可能である。サンプル１４６が単一層のみを含む場合、次に説明される標準受入れ要素１５１を、サンプル１４６のトップ層１６１として利用する。サンプル１４６の下部層と吸取紙材料１４９を次に計重する。サンプル１４６によって受入れられる試験類似物Ｂの量は、サンプル１４６のトップ表面層を貫通する試験類似物Ｂにより生じる、サンプル１４６の下部層と吸取紙材料１４９とを組み合わせた重量の、ミリジュールの単位面積ベースで行われた単位仕事あたりの増加に等しい。単位仕事を計算するのに使用される、圧力を受ける面積対距離のカーブを、１４４．６グラムの最大力を記録するまで移動する合計距離を通して、下向き行程上のプローブに抗する力を積分して計算する。単位仕事を、下記の等式を使用して計算する。
【００７３】
単位仕事（ミリジュール）＝圧力を受ける面積対距離のカーブ（グラム／ミリメートル）（９．８１メートル／平方スクウェア）／（１０００ミリメートル／メートル）
次の等式を使用して、アクセプタンスアンダープレッシャーを計算する：
アクセプタンスアンダープレッシャー＝（構造部材における類似物の量（グラム）／試験面積（平方インチ））／必要な仕事（ミリジュール）
リセプティビティイアンダープレッシャーを、上述のようなアクセプタンスアンダープレッシャーと同じ方法で測定する。ただしプローブ１６２の下向き行程での１４４．６グラムの抵抗力の到達に必要な時間を測定及び記録する。リセプティビティイアンダープレッシャーを、下記の等式を使用して計算する。
【００７４】
リセプティビティイアンダープレッシャー（グラム／平方インチ／ミリワット）＝アクセプタンスアンダープレッシャー（グラム／平方センチ／ミリジュール）／１４４．６グラムの抵抗力に到達するために必要な時間（秒）
（キトサン塩酸塩を作成する方法）
脱イオン水１０５７ミリリットルに１．０ＭＨＣＬ５．３９グラムを混合して、水性塩酸（ＨＣＬ）溶液を作成する。次いで、キトサン（ハイダゲン（Hydagen）ＨＣＭＦ）１０．７２グラムを、上記の水性ＨＣＬ溶液に添加し、すべてのキトサンを溶解し、透明な溶液になるまで室温（２２°Ｃ）で勢いよく攪拌する。次いで、生じる混合物を、長さ６５．４センチ、幅４５．１センチ（長さ２５．７５インチ、幅１７．７５インチ）、及び深さ２．５４センチ（１インチ）を有するアルミニウムの平たい容器（例えばリンカーンフードサービスプロダクツ社（Lincoln Foodservice Products）（４８６０４、インディアナ州フォートウェイン（Fort Wayne）、North Hadley Road１１１１）のモデル＃９００２）に均等に注ぐ。容器を水平の向きに維持し（即ち、シートの底面によって画定される平面を、重力方向に垂直に保持する）、溶液は液体の状態である。次いで容器及び内容物をドラフトに配置し、室温（即ち、約２２°〜２５°Ｃの範囲）で３６時間乾燥させる。乾燥すると、キトサン塩酸塩は、容器から容易に取り外されるフィルムとして容器に残る。フィルムを容器から取り外し、約１センチｘ１センチ〜１０センチｘ１０センチの寸法を有する小片に手で破断して、長さ２０．３２センチ、幅２０．３２センチ、及び深さ５．０８センチ（長さ８インチ、幅８インチ、及び深さ２インチ）の第２アルミニウム容器に配置する。容器及び内容物を、４３．３°Ｃ（１１０°Ｆ）で２４時間、対流式オーブンで加熱し、乾燥した脆性シートを作成する。次いで、生じた脆性シートを手で、最大寸法が５センチ以下の小片に破砕する。これらの脆性フィルムの小片は、コーヒーミル（例えばマサチューセッツ州ボストンのジレット社（The Gillette Company）、ブラウンＵＳ部からのブラウンオートマティックコーヒーグラインダー（Braun Automatic Coffee Grinder）、モデル＃ＫＳＭ４Ｂ）を使用してより小さいフレークに破砕され、最大フレークは、約９平方ミリメートルの面積及び約０．５ミリメートルの厚さを有する。平均フレークは、約１〜２平方ミリメートルであり、約０．１〜約０．４ミリメートルの厚さを有する。
【００７５】
（サンプル調製方法）
事前に清潔にした２５０ミリリットルのＶＷＲ銘柄のトレースクリーン（TraceClean）広口瓶（ＶＷＲ＃１５９００−１９６）を、天秤の上に配置し、風袋を量る。所望量のＦＭＡをそのカップで計量し、その正確な重量を記録する。ＦＭＡの重量を記録した後、天秤で再度、風袋を量る。所望量の糞便又は類似物を、ＦＭＡを含むカップで計量する。糞便又は類似物の正確な量を記録して、標準エアセルビスクレーパー（Standard Ayre Cervi-Scraper）（ＶＷＲ＃１５６２０−００９）のへら末端部を使用して、ＦＭＡ及び糞便又は類似物が均一になるまで勢いよく攪拌する（総攪拌時間はほぼ約２分である）。この方法における目的のために、攪拌過程の始まりを、ｔ＝０分と確定する。サンプルを混合した後、所望の反応時間のうちの残り時間の間、そのままにしておく。本明細書で提示されるデータとして、この反応時間、ｔを、攪拌過程開始から３分経過後として設定する。次に、それを、標準エアセルビスクレーパー（Standard Ayre Crevi-Scraper）のへら末端部を使用して、硬度方法において上述した１６ｍｍの容器に入れ、硬度試験を行う（上述のように、攪拌過程開始からｔ＝３分で始まる）。
【００７６】
本発明の特定の実施形態を例示し、記載してきたが、様々なその他の変更及び修正を、本発明の趣旨及び範囲から逸脱することなく行うことが可能であることは当業者には明白である。従って、本発明の範囲内にあるそのようなすべての変更及び修正を、添付の特許請求の範囲で扱うものとする。
【図面の簡単な説明】
【００７７】
【図１】構造部材の、アクセプタンスアンダープレッシャー特性及びストレージアンダープレッシャーを測定するために使用されることがある装置の正面概略図。
【図２】標準貯蔵要素の平面図。
【図１】
2006517806.tif 000004
【図２】
2006517806.tif 000005
【国際調査報告】
2006517806.tif 000006
2006517806.tif 000007
2006517806.tif 000008